(57)【特許請求の範囲】
【請求項１】
印刷データを入力する入力手段と、該印刷データのプリント処理を記録紙に対して実行可能な印刷手段と、該印刷手段によりプリントされた記録紙に対してステイプル処理を実行可能なステイプル手段と、を含む、印刷システムであって、
互いに複数のユーザを含んだ第１のグループと第２のグループを含む、複数のグループの、各グループ毎に、前記ステイプル手段によるステイプル処理に関わる設定情報を、記憶手段に、予め登録可能にする、記憶制御手段と、
前記第１のグループの設定情報としてステイプル処理を実行させる為の設定情報が前記記憶手段に予め登録されているうえで、該第１のグループを指定する印刷データが前記入力手段により入力された場合に、該印刷データのプリント処理を、該第1のグループに含まれるユーザの人数分、前記印刷手段により実行させると共に、そのプリントされた記録紙に対するステイプル処理を、該第1のグループに含まれるユーザの人数分、前記ステイプル手段により実行可能にする一方で、前記第２のグループの設定情報としてステイプル処理を実行させる為の設定情報が前記記憶手段に予め登録されていないうえで、該第２のグループを指定する印刷データが前記入力手段により入力された場合に、該印刷データのプリント処理を、該第２のグループに含まれるユーザの人数分、前記印刷手段により実行可能にするが、そのプリントされた記録紙に対するステイプル処理は前記ステイプル手段により実行させないようにする、制御手段と、を有し、
更に、前記制御手段は、
前記記憶手段に設定情報が予め登録されているグループの指定がなされていない印刷データが前記入力手段により入力された場合に、前記記憶手段に予め登録されている設定情報に依らないで、該印刷データのプリント処理を前記印刷手段により実行可能にする、ことを特徴とする印刷システム。
【請求項２】
印刷データを入力する入力手段と、該印刷データのプリント処理を、第1の用紙タイプ及び第２の用紙タイプを含む複数の用紙タイプの何れかの用紙タイプの記録紙に対して、実行可能な印刷手段と、を含む、印刷システムであって、
互いに複数のユーザを含んだ第１のグループと第２のグループを含む、複数のグループの、各グループ毎に、前記印刷手段により使用させるべき記録紙の用紙タイプに関わる設定情報を、記憶手段に、予め登録可能にする、記憶制御手段と、
前記第１のグループの設定情報として前記第1の用紙タイプの記録紙を使用させる為の設定情報が前記記憶手段に予め登録されているうえで、該第１のグループを指定する印刷データが前記入力手段により入力された場合に、該印刷データのプリント処理を、該第1のグループに含まれるユーザの人数分、前記第１の用紙タイプの記録紙を用いて、前記印刷手段により実行可能にする一方で、前記第２のグループの設定情報として前記第２の用紙タイプの記録紙を使用させる為の設定情報が前記記憶手段に予め登録されているうえで、該第２のグループを指定する印刷データが前記入力手段により入力された場合に、該印刷データのプリント処理を、該第２のグループに含まれるユーザの人数分、前記第２の用紙タイプの記録紙を用いて、前記印刷手段により実行可能にする、制御手段と、を有し、
更に、前記制御手段は、
前記記憶手段に設定情報が予め登録されているグループの指定がなされていない印刷データが前記入力手段により入力された場合に、前記記憶手段に予め登録されている設定情報に依らないで、該印刷データのプリント処理を前記印刷手段により実行可能にする、ことを特徴とする印刷システム。
【請求項３】
印刷データを入力する入力手段と、該印刷データのプリント処理を記録紙に対して実行可能な印刷手段と、該印刷手段によりプリントされた記録紙を複数の排紙部のうちの何れかの排紙部に対して排出可能にする排出手段と、を含む、印刷システムであって、
互いに複数のユーザを含んだ第１のグループと第２のグループを含む、複数のグループの、各グループ毎に、前記排出手段による記録紙の排出先とすべき排紙部に関わる設定情報を、記憶手段に、予め登録可能にする、記憶制御手段と、
前記第１のグループの設定情報として排紙部に関わる設定情報が前記記憶手段に予め登録されているうえで、該第１のグループを指定する印刷データが前記入力手段により入力された場合に、該印刷データのプリント処理を、該第1のグループに含まれるユーザの人数分、前記印刷手段により実行させると共に、そのプリントされた記録紙を、該第1のグループの為に予め登録された排紙部に対して排出可能にする一方で、前記第２のグループの設定情報として排紙部に関わる設定情報が前記記憶手段に予め登録されているうえで、該第２のグループを指定する印刷データが前記入力手段により入力された場合に、該印刷データのプリント処理を、該第２のグループに含まれるユーザの人数分、前記印刷手段により実行させると共に、そのプリントされた記録紙を、該第２のグループの為に予め登録された排紙部に対して排出可能にする、制御手段と、を有し、
更に、前記制御手段は、
前記記憶手段に設定情報が予め登録されているグループの指定がなされていない印刷データが前記入力手段により入力された場合に、前記記憶手段に予め登録されている設定情報に依らないで、該印刷データのプリント処理を前記印刷手段により実行可能にする、ことを特徴とする印刷システム。
【請求項４】
前記記憶制御手段は、
前記各グループ毎に、グループを構成するユーザの情報と共に、少なくとも、ステイプル処理に関わる設定情報、及び、前記印刷手段により使用させるべき記録紙の用紙タイプに関わる設定情報、及び、排紙部に関わる設定情報の何れかを含む設定情報を、テーブル形式で、前記記憶手段に記憶可能にすることを特徴とする請求項1乃至３の何れかに記載の印刷システム。
【請求項５】
前記記憶制御手段は、
前記設定情報と共に、解像度の指定に関する設定情報および写真モードの指定に関する設定情報の少なくとも何れかを含む画像形成モードに関する設定情報を前記記憶手段に記憶可能にすることを特徴とする請求項1乃至４の何れかに記載の印刷システム。
【請求項６】
前記入力手段は、コンピュータから出力された印刷データを入力可能とし、前記印刷手段は、該コンピュータからの印刷データのプリント処理を実行可能とする、ことを特徴とする請求項1乃至５の何れかに記載の印刷システム。
【請求項７】
前記記憶手段に予め登録させるべき各グループ毎の前記設定情報を、前記印刷手段によりプリントさせるべき印刷データを出力可能なコンピュータ、及び、前記印刷手段を具備する印刷装置の操作パネルの、少なくとも何れかにて、設定可能にする、ことを特徴とする請求項1乃至６の何れかに記載の印刷システム。
【請求項８】
前記記憶制御手段は、前記印刷手段を具備する印刷装置が有する記憶手段に、前記設定情報を予め登録可能にする、ことを特徴とする請求項１乃至７の何れかに記載の印刷システム。
【請求項９】
印刷データを入力する入力手段と、該印刷データのプリント処理を記録紙に対して実行可能な印刷手段と、該印刷手段によりプリントされた記録紙に対してステイプル処理を実行可能なステイプル手段と、を含む、印刷システムのプリント方法であって、
互いに複数のユーザを含んだ第１のグループと第２のグループを含む、複数のグループの、各グループ毎に、前記ステイプル手段によるステイプル処理に関わる設定情報を、記憶手段に、予め登録可能にし、
前記第１のグループの設定情報としてステイプル処理を実行させる為の設定情報が前記記憶手段に予め登録されているうえで、該第１のグループを指定する印刷データが前記入力手段により入力された場合に、該印刷データのプリント処理を、該第1のグループに含まれるユーザの人数分、前記印刷手段により実行させると共に、そのプリントされた記録紙に対するステイプル処理を、該第1のグループに含まれるユーザの人数分、前記ステイプル手段により実行可能にする一方で、前記第２のグループの設定情報としてステイプル処理を実行させる為の設定情報が前記記憶手段に予め登録されていないうえで、該第２のグループを指定する印刷データが前記入力手段により入力された場合に、該印刷データのプリント処理を、該第２のグループに含まれるユーザの人数分、前記印刷手段により実行可能にするが、そのプリントされた記録紙に対するステイプル処理は前記ステイプル手段により実行させないようにし、
更に、前記記憶手段に設定情報が予め登録されているグループの指定がなされていない印刷データが前記入力手段により入力された場合に、前記記憶手段に予め登録されている設定情報に依らないで、該印刷データのプリント処理を前記印刷手段により実行可能にする、ことを特徴とするプリント方法。
【請求項１０】
印刷データを入力する入力手段と、該印刷データのプリント処理を、第1の用紙タイプ及び第２の用紙タイプを含む複数の用紙タイプの何れかの用紙タイプの記録紙に対して、実行可能な印刷手段と、を含む、印刷システムのプリント方法であって、
互いに複数のユーザを含んだ第１のグループと第２のグループを含む、複数のグループの、各グループ毎に、前記印刷手段により使用させるべき記録紙の用紙タイプに関わる設定情報を、記憶手段に、予め登録可能にし、
前記第１のグループの設定情報として前記第1の用紙タイプの記録紙を使用させる為の設定情報が前記記憶手段に予め登録されているうえで、該第１のグループを指定する印刷データが前記入力手段により入力された場合に、該印刷データのプリント処理を、該第1のグループに含まれるユーザの人数分、前記第１の用紙タイプの記録紙を用いて、前記印刷手段により実行可能にする一方で、前記第２のグループの設定情報として前記第２の用紙タイプの記録紙を使用させる為の設定情報が前記記憶手段に予め登録されているうえで、該第２のグループを指定する印刷データが前記入力手段により入力された場合に、該印刷データのプリント処理を、該第２のグループに含まれるユーザの人数分、前記第２の用紙タイプの記録紙を用いて、前記印刷手段により実行可能にし、
更に、前記記憶手段に設定情報が予め登録されているグループの指定がなされていない印刷データが前記入力手段により入力された場合に、前記記憶手段に予め登録されている設定情報に依らないで、該印刷データのプリント処理を前記印刷手段により実行可能にする、ことを特徴とするプリント方法。
【請求項１１】
印刷データを入力する入力手段と、該印刷データのプリント処理を記録紙に対して実行可能な印刷手段と、該印刷手段によりプリントされた記録紙を複数の排紙部のうちの何れかの排紙部に対して排出可能にする排出手段と、を含む、印刷システムのプリント方法であって、
互いに複数のユーザを含んだ第１のグループと第２のグループを含む、複数のグループの、各グループ毎に、前記排出手段による記録紙の排出先とすべき排紙部に関わる設定情報を、記憶手段に、予め登録可能にし、
前記第１のグループの設定情報として排紙部に関わる設定情報が前記記憶手段に予め登録されているうえで、該第１のグループを指定する印刷データが前記入力手段により入力された場合に、該印刷データのプリント処理を、該第1のグループに含まれるユーザの人数分、前記印刷手段により実行させると共に、そのプリントされた記録紙を、該第1のグループの為に予め登録された排紙部に対して排出可能にする一方で、前記第２のグループの設定情報として排紙部に関わる設定情報が前記記憶手段に予め登録されているうえで、該第２のグループを指定する印刷データが前記入力手段により入力された場合に、該印刷データのプリント処理を、該第２のグループに含まれるユーザの人数分、前記印刷手段により実行させると共に、そのプリントされた記録紙を、該第２のグループの為に予め登録された排紙部に対して排出可能にし、
更に、前記記憶手段に設定情報が予め登録されているグループの指定がなされていない印刷データが前記入力手段により入力された場合に、前記記憶手段に予め登録されている設定情報に依らないで、該印刷データのプリント処理を前記印刷手段により実行可能にする、ことを特徴とするプリント方法。
【請求項１２】
前記各グループ毎に、グループを構成するユーザの情報と共に、少なくとも、ステイプル処理に関わる設定情報、及び、前記印刷手段により使用させるべき記録紙の用紙タイプに関わる設定情報、及び、排紙部に関わる設定情報の何れかを含む設定情報を、テーブル形式で、前記記憶手段に記憶可能にすることを特徴とする請求項９乃至１１の何れかに記載のプリント方法。
【請求項１３】
前記設定情報と共に、解像度の指定に関する設定情報および写真モードの指定に関する設定情報の少なくとも何れかを含む画像形成モードに関する設定情報を前記記憶手段に記憶可能にすることを特徴とする請求項９乃至１２の何れかに記載のプリント方法。
【請求項１４】
コンピュータから出力された印刷データを前記入力手段により入力可能とし、該コンピュータからの印刷データのプリント処理を前記印刷手段により実行可能とする、ことを特徴とする請求項９乃至１３の何れかに記載のプリント方法。
【請求項１５】
前記記憶手段に予め登録させるべき各グループ毎の前記設定情報を、前記印刷手段によりプリントさせるべき印刷データを出力可能なコンピュータ、及び、前記印刷手段を具備する印刷装置の操作パネルの、少なくとも何れかにて、設定可能にする、ことを特徴とする請求項９乃至１４の何れかに記載のプリント方法。
【請求項１６】
前記印刷手段を具備する印刷装置が有する記憶手段に、前記設定情報を予め登録可能にする、ことを特徴とする請求項９乃至１５の何れかに記載のプリント方法。
【発明の詳細な説明】
【０００１】
【発明の属する技術分野】
本発明は、所定の通信媒体を介して情報処理装置から転送される印刷ジョブに対して複数の機能を指定して印刷ジョブを出力可能な出力装置および出力装置の制御方法および印刷ジョブのプリント方法に関するものである。
【０００２】
【従来の技術】
従来、この種の出力装置においては、例えば複数の部数を複数の排紙口に仕分けし、ステイプルして出力するといった複数の機能を同時に実現する場合、複数枚出力指定コマンド，排紙口指定コマンド，給紙口指定コマンド，ステイプル実行コマンド等の複数のコマンドを組み合わせて、出力装置に指示する必要があった。また、複数の部数を出力する場合、プリンタドライバ側で複数の出力イメージを用意するといったような機能を有するものもあった。
【０００３】
さらに、個人オペレータに対して、その属性（複数枚出力指定，排紙口指定，給紙口指定，ステイプル指定等）を登録する機能をもつ出力装置も考案されていた。しかし、グループに対して属性を登録し、そのグループの指定のみでグループ特有の属性にあった処理を行う機能をもつ出力装置は考えられていなかった。
【０００４】
【発明が解決しようとする課題】
ところが、昨今の出力装置は、複数のオペレータ／複数の上位装置に共有される環境下で使用される場合が多くある。そして、さらに共有された環境下で効率良く使用されることを目的として、複数の給紙口，複数の排紙口，ステイプリング機能，複数排紙方法等を持つ出力装置が多く開発されている。
【０００５】
しかし、出力装置が備えるこれらの高度な機能はそれぞれに複雑なコマンドが用意され、特にグループで使用する書類等のように複数の部数を出力する場合は、複数の機能を同時に実現する必要があり、それらのコマンドを複雑化した上位装置側の設定項目により逐一設定するという煩雑な設定操作をオペレータが実行しなければならず、かえってオペレータの作業効率を低下させてしまうという問題点があった。
【０００６】
また、上記煩雑な設定操作をオペレータに強いるため、結局、出力装置の高度な機能が有効かつ頻繁に使用されないという問題点もあった。
【０００７】
本発明は、上記の問題点を解決するためになされたもので、本発明に係る第１の発明〜第１６の発明の目的は、印刷データを入力する入力手段と、該印刷データのプリント処理を記録紙に対して実行可能な印刷手段と、該印刷手段によりプリントされた記録紙に対してステイプル処理を実行可能なステイプル手段と、を含む、印刷システムにて、互いに複数のユーザを含んだ第１のグループと第２のグループを含む、複数のグループの、各グループ毎に、前記ステイプル手段によるステイプル処理に関わる設定情報を、記憶手段に、予め登録可能にし、前記第１のグループの設定情報としてステイプル処理を実行させる為の設定情報が前記記憶手段に予め登録されているうえで、該第１のグループを指定する印刷データが前記入力手段により入力された場合に、該印刷データのプリント処理を、該第1のグループに含まれるユーザの人数分、前記印刷手段により実行させると共に、そのプリントされた記録紙に対するステイプル処理を、該第1のグループに含まれるユーザの人数分、前記ステイプル手段により実行可能にする一方で、前記第２のグループの設定情報としてステイプル処理を実行させる為の設定情報が前記記憶手段に予め登録されていないうえで、該第２のグループを指定する印刷データが前記入力手段により入力された場合に、該印刷データのプリント処理を、該第２のグループに含まれるユーザの人数分、前記印刷手段により実行可能にするが、そのプリントされた記録紙に対するステイプル処理は前記ステイプル手段により実行させないようにし、更に、前記記憶手段に設定情報が予め登録されているグループの指定がなされていない印刷データが前記入力手段により入力された場合に、前記記憶手段に予め登録されている設定情報に依らないで、該印刷データのプリント処理を前記印刷手段により実行可能にすることにより、予め登録しておいたグループをジョブに対して指定するという簡単な操作でグループ固有の属性に応じた出力装置の高度な機能を組み合わせた所望の出力結果をグループに指定された排紙先から取得でき、オペレータによるグループに合わせた複雑な各種設定作業の作業効率を格段に向上させる出力装置および出力装置の制御方法および印刷ジョブのプリント方法を提供することである。
【０００８】
【問題点を解決するための手段】
本発明に係る第１の発明は、印刷データを入力する入力手段と、該印刷データのプリント処理を記録紙に対して実行可能な印刷手段と、該印刷手段によりプリントされた記録紙に対してステイプル処理を実行可能なステイプル手段と、を含む、印刷システムであって、互いに複数のユーザを含んだ第１のグループと第２のグループを含む、複数のグループの、各グループ毎に、前記ステイプル手段によるステイプル処理に関わる設定情報を、記憶手段に、予め登録可能にする、記憶制御手段と、前記第１のグループの設定情報としてステイプル処理を実行させる為の設定情報が前記記憶手段に予め登録されているうえで、該第１のグループを指定する印刷データが前記入力手段により入力された場合に、該印刷データのプリント処理を、該第1のグループに含まれるユーザの人数分、前記印刷手段により実行させると共に、そのプリントされた記録紙に対するステイプル処理を、該第1のグループに含まれるユーザの人数分、前記ステイプル手段により実行可能にする一方で、前記第２のグループの設定情報としてステイプル処理を実行させる為の設定情報が前記記憶手段に予め登録されていないうえで、該第２のグループを指定する印刷データが前記入力手段により入力された場合に、該印刷データのプリント処理を、該第２のグループに含まれるユーザの人数分、前記印刷手段により実行可能にするが、そのプリントされた記録紙に対するステイプル処理は前記ステイプル手段により実行させないようにする、制御手段と、を有し、更に、前記制御手段は、前記記憶手段に設定情報が予め登録されているグループの指定がなされていない印刷データが前記入力手段により入力された場合に、前記記憶手段に予め登録されている設定情報に依らないで、該印刷データのプリント処理を前記印刷手段により実行可能にする、ことを特徴とする。
【０００９】
本発明に係る第２の発明は、印刷データを入力する入力手段と、該印刷データのプリント処理を、第1の用紙タイプ及び第２の用紙タイプを含む複数の用紙タイプの何れかの用紙タイプの記録紙に対して、実行可能な印刷手段と、を含む、印刷システムであって、互いに複数のユーザを含んだ第１のグループと第２のグループを含む、複数のグループの、各グループ毎に、前記印刷手段により使用させるべき記録紙の用紙タイプに関わる設定情報を、記憶手段に、予め登録可能にする、記憶制御手段と、前記第１のグループの設定情報として前記第1の用紙タイプの記録紙を使用させる為の設定情報が前記記憶手段に予め登録されているうえで、該第１のグループを指定する印刷データが前記入力手段により入力された場合に、該印刷データのプリント処理を、該第1のグループに含まれるユーザの人数分、前記第１の用紙タイプの記録紙を用いて、前記印刷手段により実行可能にする一方で、前記第２のグループの設定情報として前記第２の用紙タイプの記録紙を使用させる為の設定情報が前記記憶手段に予め登録されているうえで、該第２のグループを指定する印刷データが前記入力手段により入力された場合に、該印刷データのプリント処理を、該第２のグループに含まれるユーザの人数分、前記第２の用紙タイプの記録紙を用いて、前記印刷手段により実行可能にする、制御手段と、を有し、更に、前記制御手段は、前記記憶手段に設定情報が予め登録されているグループの指定がなされていない印刷データが前記入力手段により入力された場合に、前記記憶手段に予め登録されている設定情報に依らないで、該印刷データのプリント処理を前記印刷手段により実行可能にする、ことを特徴とする。
【００１０】
本発明に係る第３の発明は、印刷データを入力する入力手段と、該印刷データのプリント処理を記録紙に対して実行可能な印刷手段と、該印刷手段によりプリントされた記録紙を複数の排紙部のうちの何れかの排紙部に対して排出可能にする排出手段と、を含む、印刷システムであって、互いに複数のユーザを含んだ第１のグループと第２のグループを含む、複数のグループの、各グループ毎に、前記排出手段による記録紙の排出先とすべき排紙部に関わる設定情報を、記憶手段に、予め登録可能にする、記憶制御手段と、前記第１のグループの設定情報として排紙部に関わる設定情報が前記記憶手段に予め登録されているうえで、該第１のグループを指定する印刷データが前記入力手段により入力された場合に、該印刷データのプリント処理を、該第1のグループに含まれるユーザの人数分、前記印刷手段により実行させると共に、そのプリントされた記録紙を、該第1のグループの為に予め登録された排紙部に対して排出可能にする一方で、前記第２のグループの設定情報として排紙部に関わる設定情報が前記記憶手段に予め登録されているうえで、該第２のグループを指定する印刷データが前記入力手段により入力された場合に、該印刷データのプリント処理を、該第２のグループに含まれるユーザの人数分、前記印刷手段により実行させると共に、そのプリントされた記録紙を、該第２のグループの為に予め登録された排紙部に対して排出可能にする、制御手段と、を有し、更に、前記制御手段は、前記記憶手段に設定情報が予め登録されているグループの指定がなされていない印刷データが前記入力手段により入力された場合に、前記記憶手段に予め登録されている設定情報に依らないで、該印刷データのプリント処理を前記印刷手段により実行可能にする、ことを特徴とする。
【００１１】
本発明に係る第４の発明は、前記記憶制御手段は、前記各グループ毎に、グループを構成するユーザの情報と共に、少なくとも、ステイプル処理に関わる設定情報、及び、前記印刷手段により使用させるべき記録紙の用紙タイプに関わる設定情報、及び、排紙部に関わる設定情報の何れかを含む設定情報を、テーブル形式で、前記記憶手段に記憶可能にすることを特徴とする。
【００１２】
本発明に係る第５の発明は、前記記憶制御手段は、前記設定情報と共に、解像度の指定に関する設定情報および写真モードの指定に関する設定情報の少なくとも何れかを含む画像形成モードに関する設定情報を前記記憶手段に記憶可能にすることを特徴とする。
【００１３】
本発明に係る第６の発明は、前記入力手段は、コンピュータから出力された印刷データを入力可能とし、前記印刷手段は、該コンピュータからの印刷データのプリント処理を実行可能とする、ことを特徴とする。
【００１４】
本発明に係る第７の発明は、前記記憶手段に予め登録させるべき各グループ毎の前記設定情報を、前記印刷手段によりプリントさせるべき印刷データを出力可能なコンピュータ、及び、前記印刷手段を具備する印刷装置の操作パネルの、少なくとも何れかにて、設定可能にする、ことを特徴とする。
本発明に係る第８の発明は、前記記憶制御手段は、前記印刷手段を具備する印刷装置が有する記憶手段に、前記設定情報を予め登録可能にする、ことを特徴とする。
本発明に係る第９の発明は、印刷データを入力する入力手段と、該印刷データのプリント処理を記録紙に対して実行可能な印刷手段と、該印刷手段によりプリントされた記録紙に対してステイプル処理を実行可能なステイプル手段と、を含む、印刷システムのプリント方法であって、互いに複数のユーザを含んだ第１のグループと第２のグループを含む、複数のグループの、各グループ毎に、前記ステイプル手段によるステイプル処理に関わる設定情報を、記憶手段に、予め登録可能にし、前記第１のグループの設定情報としてステイプル処理を実行させる為の設定情報が前記記憶手段に予め登録されているうえで、該第１のグループを指定する印刷データが前記入力手段により入力された場合に、該印刷データのプリント処理を、該第1のグループに含まれるユーザの人数分、前記印刷手段により実行させると共に、そのプリントされた記録紙に対するステイプル処理を、該第1のグループに含まれるユーザの人数分、前記ステイプル手段により実行可能にする一方で、前記第２のグループの設定情報としてステイプル処理を実行させる為の設定情報が前記記憶手段に予め登録されていないうえで、該第２のグループを指定する印刷データが前記入力手段により入力された場合に、該印刷データのプリント処理を、該第２のグループに含まれるユーザの人数分、前記印刷手段により実行可能にするが、そのプリントされた記録紙に対するステイプル処理は前記ステイプル手段により実行させないようにし、更に、前記記憶手段に設定情報が予め登録されているグループの指定がなされていない印刷データが前記入力手段により入力された場合に、前記記憶手段に予め登録されている設定情報に依らないで、該印刷データのプリント処理を前記印刷手段により実行可能にする、ことを特徴とする。
本発明に係る第１０の発明は、印刷データを入力する入力手段と、該印刷データのプリント処理を、第1の用紙タイプ及び第２の用紙タイプを含む複数の用紙タイプの何れかの用紙タイプの記録紙に対して、実行可能な印刷手段と、を含む、印刷システムのプリント方法であって、互いに複数のユーザを含んだ第１のグループと第２のグループを含む、複数のグループの、各グループ毎に、前記印刷手段により使用させるべき記録紙の用紙タイプに関わる設定情報を、記憶手段に、予め登録可能にし、前記第１のグループの設定情報として前記第1の用紙タイプの記録紙を使用させる為の設定情報が前記記憶手段に予め登録されているうえで、該第１のグループを指定する印刷データが前記入力手段により入力された場合に、該印刷データのプリント処理を、該第1のグループに含まれるユーザの人数分、前記第１の用紙タイプの記録紙を用いて、前記印刷手段により実行可能にする一方で、前記第２のグループの設定情報として前記第２の用紙タイプの記録紙を使用させる為の設定情報が前記記憶手段に予め登録されているうえで、該第２のグループを指定する印刷データが前記入力手段により入力された場合に、該印刷データのプリント処理を、該第２のグループに含まれるユーザの人数分、前記第２の用紙タイプの記録紙を用いて、前記印刷手段により実行可能にし、更に、前記記憶手段に設定情報が予め登録されているグループの指定がなされていない印刷データが前記入力手段により入力された場合に、前記記憶手段に予め登録されている設定情報に依らないで、該印刷データのプリント処理を前記印刷手段により実行可能にする、ことを特徴とする。
本発明に係る第１１の発明は、印刷データを入力する入力手段と、該印刷データのプリント処理を記録紙に対して実行可能な印刷手段と、該印刷手段によりプリントされた記録紙を複数の排紙部のうちの何れかの排紙部に対して排出可能にする排出手段と、を含む、印刷システムのプリント方法であって、互いに複数のユーザを含んだ第１のグループと第２のグループを含む、複数のグループの、各グループ毎に、前記排出手段による記録紙の排出先とすべき排紙部に関わる設定情報を、記憶手段に、予め登録可能にし、前記第１のグループの設定情報として排紙部に関わる設定情報が前記記憶手段に予め登録されているうえで、該第１のグループを指定する印刷データが前記入力手段により入力された場合に、該印刷データのプリント処理を、該第1のグループに含まれるユーザの人数分、前記印刷手段により実行させると共に、そのプリントされた記録紙を、該第1のグループの為に予め登録された排紙部に対して排出可能にする一方で、前記第２のグループの設定情報として排紙部に関わる設定情報が前記記憶手段に予め登録されているうえで、該第２のグループを指定する印刷データが前記入力手段により入力された場合に、該印刷データのプリント処理を、該第２のグループに含まれるユーザの人数分、前記印刷手段により実行させると共に、そのプリントされた記録紙を、該第２のグループの為に予め登録された排紙部に対して排出可能にし、更に、前記記憶手段に設定情報が予め登録されているグループの指定がなされていない印刷データが前記入力手段により入力された場合に、前記記憶手段に予め登録されている設定情報に依らないで、該印刷データのプリント処理を前記印刷手段により実行可能にする、ことを特徴とする。
本発明に係る第１２の発明は、前記各グループ毎に、グループを構成するユーザの情報と共に、少なくとも、ステイプル処理に関わる設定情報、及び、前記印刷手段により使用させるべき記録紙の用紙タイプに関わる設定情報、及び、排紙部に関わる設定情報の何れかを含む設定情報を、テーブル形式で、前記記憶手段に記憶可能にすることを特徴とする。
本発明に係る第１３の発明は、前記設定情報と共に、解像度の指定に関する設定情報および写真モードの指定に関する設定情報の少なくとも何れかを含む画像形成モードに関する設定情報を前記記憶手段に記憶可能にすることを特徴とする。
本発明に係る第１４の発明は、コンピュータから出力された印刷データを前記入力手段により入力可能とし、該コンピュータからの印刷データのプリント処理を前記印刷手段により実行可能とする、ことを特徴とする。
本発明に係る第１５の発明は、前記記憶手段に予め登録させるべき各グループ毎の前記設定情報を、前記印刷手段によりプリントさせるべき印刷データを出力可能なコンピュータ、及び、前記印刷手段を具備する印刷装置の操作パネルの、少なくとも何れかにて、設定可能にする、ことを特徴とする。
本発明に係る第１６の発明は、前記印刷手段を具備する印刷装置が有する記憶手段に、前記設定情報を予め登録可能にする、ことを特徴とする。
【００１５】
【発明の実施の形態】
本発明の本実施形態の構成を説明する前に、本発明を適用するに好適なレーザビームプリンタの構成について図１を参照しながら説明する。
【００１６】
なお、本発明を適用するプリンタは、レーザビームプリンタに限られるものではなく、インクジェットプリンタ等、他のプリント方式のプリンタであっても良いことは言うまでもない。
【００１７】
図１は、本発明の一実施形態を示す出力装置を適用可能なレーザビームプリンタ（以下、ＬＢＰ）の構成を示す断面図である。
【００１８】
図において、１０００はＬＢＰであり、後述する図２に示すように外部に接続されているホストコンピュータ３０００から供給される印刷情報（文字コード等）やフォーム情報あるいはマクロ命令等を入力して記憶するとともに、それらの情報にしたがって対応する文字パターンやフォームパターン等を作成し、記録媒体である記録紙等に像を形成する。
【００１９】
１０１２は操作パネルで、操作のためのスイッチおよびＬＥＤ表示器等が配されている。１００１はプリンタ制御ユニットで、ＬＢＰ本体１０００全体の制御および図２に示すホストコンピュータ３０００から供給される文字情報等を解析する。このプリンタ制御ユニット１００１は、主に文字情報を対応する文字パターンのビデオ信号に変換してレーザドライバ１００２に出力する。
【００２０】
レーザドライバ１００２は、半導体レーザ１００３を駆動するための回路であり、入力されたビデオ信号に応じて半導体レーザ１００３から発射されるレーザ光１００４をオン・オフ切り換えする。１００６は静電ドラムで、回転多面鏡１００５で左右方向に振られたレーザ光１００４により走査露光され、この静電ドラム１００６上には文字パターンの静電潜像が形成されることになる。また、１００７は現像ユニットで、静電ドラム１００６周囲に配設され、静電ドラム１００６上の静電潜像を現像した後、記録紙に転写する。
【００２１】
この記録紙にはカットシートを用いる。１００８は用紙カセットで、ＬＢＰ１０００に装着され、カットシート記録紙を収納する。また、１００９は給紙ローラ，１０１０は搬送ローラで、用紙カセット１００８に収納されたカットシート記録紙を装置内に取り込み、静電ドラム１００６に供給する。
【００２２】
また、１０１３はステイプラで、後述する図２に示すホストコンピュータ３０００または操作パネル１０１２よりステイプル処理が指定されている場合は、記録紙にステイプルを施して出力する。
【００２３】
なお、ＬＢＰ１０００は、排紙口を複数有する排紙オプションユニットおよび給紙口を複数有する給紙オプションユニットを装着可能であり、操作パネル１０１２または図２に示すホストコンピュータ３０００からの設定により、複数の給紙口より選択的に給紙した記録紙に画像形成を施し、複数の排紙口へ仕分けして排紙することができる。
【００２４】
また、ＬＢＰ１０００には、図示しない拡張用インタフェースを少なくとも１個以上備え、内蔵フォントに加えてオプションフォントＲＯＭ、言語系の異なる制御用ＲＯＭ（エミュレーション等）、大容量の不揮発性記憶素子を接続できるように構成されている。
【００２５】
以下、各部の動作について説明する。
【００２６】
まず、プリンタ制御ユニット１００１が図２に示すホストコンピュータ３０００から供給される文字情報等を解析し、主に文字情報を対応する文字パターンのビデオ信号に変換してレーザドライバ１００２に出力する。レーザドライバ１００２は、入力されたビデオ信号に応じて半導体レーザ１００３から発射されるレーザ光１００４をオン・オフ切り換えする。
【００２７】
次に、レーザ光１００４は回転多面鏡１００５で左右方向に振らされて静電ドラム１００６上を走査露光する。これにより、静電ドラム１００６上には文字パターンの静電潜像が形成されることになる。この潜像は、静電ドラム１００６周囲に配設された現像ユニット１００７により現像された後、記録紙に転写される。この記録紙にはカットシートを用い、カットシート記録紙はＬＢＰ１０００に装着した用紙カセット１００８に収納され、給紙ローラ１００９および搬送ローラ１０１０と搬送ローラ１０１１とにより、装置内に取り込まれて、静電ドラム１００６に供給される。
【００２８】
図２は、本発明に係るプリンタ制御システムの構成を説明するブロック図であり、ＬＢＰ１０００とホストコンピュータ３０００により構成される場合に対応する。なお、図１と同一のものには同一の符号を付してある。また、本発明の機能が実行されるのであれば、単体の機器であっても、複数の機器からなるシステムであっても、ＬＡＮ等のネットワークを介して処理が行われるシステムであっても本発明を適用できることは言うまでもない。
【００２９】
ホストコンピュータ３０００において、１はＣＰＵで、ＲＯＭ３のプログラム用ＲＯＭに記憶された文書処理プログラム等に基づいて図形，イメージ，文字，表（表計算等を含む）等が混在した文書処理を実行し、システムバス４に接続される各デバイスを総括的に制御する。
【００３０】
また、このＲＯＭ３のプログラム用ＲＯＭには、ＣＰＵ１の制御プログラム等を記憶し、ＲＯＭ３のフォント用ＲＯＭには上記文書処理の際に使用するフォントデータ等を記憶し、ＲＯＭ３のデータ用ＲＯＭは上記文書処理等を行う際に使用する各種データを記憶する。２はＲＡＭで、ＣＰＵ１の主メモリ，ワークエリア等として機能する。
【００３１】
５はキーボードコントローラ（ＫＢＣ）で、キーボード９や不図示のポインティングデバイスからのキー入力を制御する。６はＣＲＴコントローラ（ＣＲＴＣ）で、ＣＲＴディスプレイ（ＣＲＴ）１０の表示を制御する。７はメモリコントローラ（ＭＣ）で、ブートプログラム，種々のアプリケーション，フォントデータ，ユーザファイル，編集ファイル等を記憶するハードディスク（ＨＤ），フロッピーディスク（ＦＤ）等の外部メモリ１１とのアクセスを制御する。
【００３２】
８はプリンタコントローラ（ＰＲＴＣ）で、所定の双方向性インタフェース（インタフェース）２１を介してＬＢＰ１０００に接続されて、ＬＢＰ１０００との通信制御処理を実行する。なお、ＣＰＵ１は、たとえばＲＡＭ２上に設定された表示情報ＲＡＭへのアウトラインフォントの展開（ラスタライズ）処理を実行し、ＣＲＴ１０上でのＷＹＳＩＷＹＧを可能としている。また、ＣＰＵ１は、ＣＲＴ１０上の不図示のマウスカーソル等で指示されたコマンドに基づいて登録された種々のウインドウを開き、種々のデータ処理を実行する。
【００３３】
また、２０００は制御部で、ＣＰＵ１，ＲＡＭ２，ＲＯＭ３，ＫＢＣ５，ＣＲＴＣ６，ＭＣ７，ＰＲＴＣ８，システムバス４等で構成される。
【００３４】
ＬＢＰ１０００において、１２はＣＰＵで、ＲＯＭ１３のプログラム用ＲＯＭに記憶された制御プログラム等あるいは外部メモリ１４に記憶された制御プログラム等に基づいてシステムバス１５に接続される各種のデバイスとのアクセスを総括的に制御し、印刷部インタフェース１６を介して接続される印刷部（プリンタエンジン）１７に出力情報としての画像信号を出力する。
【００３５】
また、このＲＯＭ１３のプログラム用ＲＯＭには、後述する図４〜６のフローチャートで示されるようなＣＰＵ１２の制御プログラム等を記憶する。ＲＯＭ１３のフォント用ＲＯＭには上記出力情報を生成する際に使用するフォントデータ等を記憶し、ＲＯＭ１３のデータ用ＲＯＭにはハードディスク等の外部メモリ１４がないプリンタの場合には、ホストコンピュータ上で利用される情報等を記憶している。
【００３６】
ＣＰＵ１２は、入力部１８を介してホストコンピュータ３０００との通信処理が可能となっており、プリンタ内の情報等をホストコンピュータ３０００に通知可能に構成されている。１９はＲＡＭで、ＣＰＵ１２の主メモリ，ワークエリア等として機能し、図示しない増設ポートに接続されるオプションＲＡＭによりメモリ容量を拡張することができるように構成されている。
【００３７】
なお、ＲＡＭ１９は、出力情報展開領域，環境データ格納領域，ＮＶＲＡＭ等に用いられる。２０はメモリコントローラ（ＭＣ）で、前述したハードディスク（ＨＤ），ＩＣカード等の外部メモリ１４を制御する。外部メモリ１４は、オプションとして接続され、フォントデータ，エミュレーションプログラム，フォームデータ等を記憶する。また、１０１２は図１に示した操作パネルで操作のためのスイッチおよびＬＥＤ表示器等が配されている。
【００３８】
また、前述した外部メモリは１個に限らず、少なくとも１個以上備え、内蔵フォントに加えてオプションフォントカード，言語系の異なるプリンタ制御言語を解釈するプログラムを格納した外部メモリを複数接続できるように構成されていてもよい。さらに、図示しないＮＶＲＡＭ等の不揮発性メモリを有し、操作パネル１０１２からのプリンタモード設定情報を記憶するようにしてもよい。
【００３９】
このように構成されたプリンタ制御システムにおいて、ＣＰＵ１２がデータ処理中、またはホストからのデータ待ちの状態にあるとき、その状態における印刷環境を初期化するような事象、たとえば操作パネル１０１２を介しての初期化指示が発生した場合に、ＣＰＵ１２は現在の環境を入力部１８を介してホストコンピュータ３０００に通知するので、オペレータは本初期化処理が予期せぬ事象である場合でも元の印刷環境に復帰することが容易となる。
【００４０】
また、ホストコンピュータ３０００のＫＢ９または操作パネル１０１２等から、使用するオペレータ個人のユーザ登録およびグループ登録，グループ属性（後述する図３に示すグループ属性テーブル）の設定，ユーザ個人に対するユーザ属性（ステイプル指定，排紙口指定，用紙タイプ指定等）の設定、グループ属性およびユーザ属性との間の優先情報の設定等が可能となり、前記オペレータ個人のユーザ登録およびグループ登録，グループ属性の設定，ユーザ個人に対するユーザ属性の設定、グループ属性およびユーザ属性との間の優先情報は、ＲＡＭ１９または外部メモリ１４またはＬＢＰ１０００内に設けられた図示しない不揮発性メモリに格納される。
【００４１】
図３は、図２に示した操作パネル１０１２またはホストコンピュータ３０００により設定されるグループ属性テーブルを説明する図であり、図２に示したＲＡＭ１９または外部メモリ１４またはＬＢＰ１０００内に設けられた図示しない不揮発性メモリに格納される。
【００４２】
図において、３０はグループ属性テーブルで、「グループ名」，「ユーザ」，「ステイプル」，「排紙口指定」，「用紙タイプ」からなる複数のレコードで構成され、操作パネル１０１２またはホストコンピュータ３０００により設定される。
【００４３】
３０１は、ユーザ「ｚ」，「ｘ」，「ｃ」で構成されるグループＡに対して設定されたグループ属性情報で、「ステイプル無し」，「排紙口１」，「排紙口２」，「排紙口３」，「用紙タイプｗｈｉｔｅ」に設定されている。
【００４４】
３０２は、ユーザ「ｍ」，「ｎ」，「ｂ」，「ｖ」で構成されるグループＢに対して設定されたグループ属性情報で、「ステイプル無し」で「排紙口１」，「排紙口３」，「排紙口４」，「排紙口５」に「用紙タイプｐｉｎｋ」の記録媒体に画像形成してそれぞれ出力するように設定されている。
【００４５】
３０３は、ユーザ「ｐ」，「ｏ」，「ｉ」，「ｕ」，「ｅ」で構成されるグループＣに対して設定されたグループ属性情報で、「ステイプル有り」，「排紙口２」，「排紙口３」，「排紙口４」，「排紙口５」，「用紙タイプｗｈｉｔｅ」に設定されている。
【００４６】
３０４は、ユーザ「ｅ」，「ｒ」で構成されるグループＤに対して設定されたグループ属性情報で、「ステイプル無し」，「排紙口２」，「排紙口４」，「用紙タイプｂｌｕｅ」に設定されている。
【００４７】
３０５は、ユーザ「ｗ」，「ｒ」，「ｆ」，「ｇ」，「ｔ」，「ｙ」，「ｈ」で構成されるグループＥに対して設定されたグループ属性情報で、「ステイプル無し」，「排紙口１」，「排紙口２」，「排紙口３」，「排紙口４」，「排紙口５」，「排紙口６」，「用紙タイプｗｈｉｔｅ」に設定されている。
【００４８】
なお、上記排紙口１〜６は、図示しない排紙オプションユニットの排紙口を示すものとする。
【００４９】
以下、図４〜図６を参照して、本発明に係る出力装置の出力処理動作を説明する。
【００５０】
図４は、本発明に係る出力装置の出力処理手順の一例を示すフローチャートであり、図２に示したＣＰＵ１２により実行される。なお、（１）〜（４）は各ステップを示す。
【００５１】
まず、ホストコンピュータ３０００からの受信データがあるか否かを判断し（１）、受信データがないと判断された場合は、受信するまで待機する。
【００５２】
一方、ステップ（１）でホストコンピュータ３０００からの受信データがあると判断された場合は、受信データにグループ指定が付加されているか否かを判断し（２）、グループ指定が付加されていないと判断された場合は、ステップ（４）の処理に進む。
【００５３】
一方、ステップ（２）でホストコンピュータ３０００からの受信データにグループ指定が付加されていると判断された場合は、属性設定処理（詳細は後述する図５で示す）を実行し（３）、データ処理（詳細は後述する図６で示す）を実行して（４）、ステップ（１）の処理に戻る。
【００５４】
図５は、図４に示した属性設定処理の一例を詳細に説明するフローチャートであり、特に、ユーザ個人に対するユーザ属性が排紙口指定の設定のみの場合に対応する。また、図５に示す属性設定処理は、図２に示したＣＰＵ１２により実行される。なお、（１）〜（９）は各ステップを示す。
【００５５】
まず、ホストコンピュータ３０００または操作パネル１０１２により入力（指定）された「グループ名」とあらかじめＲＡＭ１９または外部メモリ１４に登録されたグループ属性テーブル３０（図３に示した）の「グループ名」を比較し、該当するグループの「ユーザ情報」からユーザ情報を取得し、ユーザ（グループメンバ）登録の有無を判定し（１）、ユーザ（グループメンバ）の登録無し（グループ属性テーブル３０の「ユーザ」欄にデータが無い）と判断された場合は、ステップ（３）の処理に移行する。
【００５６】
一方、ステップ（１）でユーザ（グループメンバ）登録有り（グループ属性テーブル３０の「ユーザ」情報欄にデータが有る）と判定された場合は、グループメンバを取得し、グループのメンバ数を算出しメンバ数分の部数指定を行う（２）。例えば、図３に示したグループ属性テーブル３０の「グループＡ」が指定されている場合は、「グループＡ」のユーザは「ｚ」，「ｘ」，「ｃ」の３ユーザであるので、メンバ数は「３」が部数指定される。
【００５７】
次に、グループ属性テーブル３０内該当グループの「ステイプル」欄からステイプル属性情報を取得して、ステイプルが設定されているか否かを判断し（３）、ステイプルが設定されていないと判断された場合は、ステップ（５）の処理に移行し、ステイプルが設定されていると判断された場合は、ステイプル指定を行う（４）。
【００５８】
次に、グループ属性テーブル３０内該当グループの「用紙タイプ」欄からグループが指定する用紙タイプを取得し、指定されている用紙タイプが、現在ＬＢＰ１０００（図示しない給紙オプションユニットを含む）にセットされている用紙に一致するか否かを判断し（５）、一致すると判断された場合は、該指定用紙タイプを給紙する給紙口を指定し、ステップ（７）の処理に移行する。
【００５９】
一方、ステップ（５）で指定されている用紙タイプと現在ＬＢＰ１０００（図示しない給紙オプションユニットを含む）にセットされている用紙とが一致しないと判断された場合は、グループに指定された用紙タイプを無視して、ＬＢＰ１０００の給紙口（図示しない給紙オプションユニットを含む）から所定の給紙口を選択し、該給紙口を指定する（６）。
【００６０】
次に、ホストコンピュータ３０００または操作パネル１０１２により設定され、ＲＡＭ１９または外部メモリ１４または図示しない不揮発性メモリに格納された優先情報を取得して、グループ属性優先か否かを判定し（７）、グループ属性優先と判定された場合は、グループ属性テーブル３０内該当グループの「排紙口指定」欄からグループが指定する排紙口情報を取得し、グループ属性テーブル３０の「排紙口指定（図示しない排紙オプションユニットの排紙口を含む）」で示されている排紙口を出力先として選択（排紙口選択処理）し（８）、属性設定処理を終了する。このとき、グループ属性テーブル３０に排紙口が複数指定されている場合には、複数部数の出力結果を複数の排紙口に分配排紙するものとする。
【００６１】
一方、グループ属性優先でない（ユーザ属性優先）と判定された場合は、あらかじめ登録された、ユーザ固有の排紙口を出力先として選択し（ユーザ処理）を行い（９）、属性設定処理を終了する。
【００６２】
図６は、図４に示したデータ処理の一例を詳細に説明するフローチャートであり、図２に示したプリンタＣＰＵ１２により実行される。なお、（１）〜（３）は各ステップを示す。
【００６３】
まず、ホストコンピュータ３０００からの受信データを解析し（１）、ＲＡＭ１９にビットマップデータとして展開し（２）、印刷部インタフェース１６を介して印刷部１７に転送し、図５に示した属性設定処理で設定された出力部数指定，ステイプル指定，給紙口指定，排紙口指定等の各種属性に基づいて、印刷部１７が指定給紙口から給紙される記録媒体に前記展開したビットマップデータに基づく画像形成を指定部数行い、ステイプル処理を実行し（ステイプル指定されている場合のみ）、各指定排紙口へ排紙（排紙口が複数指定されている場合は、複数部数の出力結果を複数の排紙口に分配排紙）する出力処理を行う（３）。
【００６４】
なお、本実施形態では、ユーザ個人に対するユーザ属性が排紙口指定の設定のみの場合について説明したが、用紙タイプ指定、並びにステイプル指定等が、グループ属性との間で優先順位を伴って指定される構成でもよい。
【００６５】
また、本実施形態では、グループ属性およびユーザ属性がステイプルの指定，排紙口の指定，用紙タイプ等の用紙ハンドリング機能の属性である場合について説明したが、解像度の指定，写真モードの指定等の画像形成モードに関する属性を含んでもよい。
【００６６】
以上述べたように本発明によれば、複数の給紙口，排紙口，ステイプル機能，用紙タイプ指定機能など、用紙ハンドリングを強化している出力装置において、それら機能を同時に実現する際、用紙ハンドリング指示の属性をグループという単位で登録し、複数の指定をユーザインタフェースより指定する必要を削除し、グループを指定するという簡単な指定で、そのグループ毎の属性に応じて出力処理を実行し、オペレータの意図する出力が得られ、これら指示にかかる時間を短縮できる。
【００６７】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出して実行することによっても、本発明の目的が達成されることは言うまでもない。
【００６８】
この場合、記憶媒体から読み出されたプログラムコード自体が本発明の新規な機能を実現することになり、そのプログラムコードを記憶した記憶媒体は本発明を構成することになる。
【００６９】
プログラムコードを供給するための記憶媒体としては、例えば、フロッピーディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いることができる。
【００７０】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００７１】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００７２】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウエアによって表されるプログラムを格納した記憶媒体を該システムあるいは装置に読み出すことによって、そのシステムあるいは装置が、本発明の効果を享受することが可能となる。
【００７３】
さらに、本発明を達成するためのソフトウエアによって表されるプログラムをネットワーク上のデータベースから通信プログラムによりダウンロードして読み出すことによって、そのシステムあるいは装置が、本発明の効果を享受することが可能となる。
【００７４】
【発明の効果】
以上説明したように、本発明に係る請求項1及び９記載の発明によれば、印刷データを入力する入力手段と、該印刷データのプリント処理を記録紙に対して実行可能な印刷手段と、該印刷手段によりプリントされた記録紙に対してステイプル処理を実行可能なステイプル手段と、を含む、印刷システムにて、互いに複数のユーザを含んだ第１のグループと第２のグループを含む、複数のグループの、各グループ毎に、前記ステイプル手段によるステイプル処理に関わる設定情報を、記憶手段に、予め登録可能にし、前記第１のグループの設定情報としてステイプル処理を実行させる為の設定情報が前記記憶手段に予め登録されているうえで、該第１のグループを指定する印刷データが前記入力手段により入力された場合に、該印刷データのプリント処理を、該第1のグループに含まれるユーザの人数分、前記印刷手段により実行させると共に、そのプリントされた記録紙に対するステイプル処理を、該第1のグループに含まれるユーザの人数分、前記ステイプル手段により実行可能にする一方で、前記第２のグループの設定情報としてステイプル処理を実行させる為の設定情報が前記記憶手段に予め登録されていないうえで、該第２のグループを指定する印刷データが前記入力手段により入力された場合に、該印刷データのプリント処理を、該第２のグループに含まれるユーザの人数分、前記印刷手段により実行可能にするが、そのプリントされた記録紙に対するステイプル処理は前記ステイプル手段により実行させないようにし、更に、前記記憶手段に設定情報が予め登録されているグループの指定がなされていない印刷データが前記入力手段により入力された場合に、前記記憶手段に予め登録されている設定情報に依らないで、該印刷データのプリント処理を前記印刷手段により実行可能にするので、グループを指定するという簡単な操作で、ステイプルの設定など、グループ固有の設定に応じた所望の出力結果を、グループのメンバーの部数分、取得でき、オペレータによる複雑な各種設定作業の作業効率を格段に向上することが可能となる。
【００７５】
又、請求項２及び１０の本発明によれば、印刷データを入力する入力手段と、該印刷データのプリント処理を、第1の用紙タイプ及び第２の用紙タイプを含む複数の用紙タイプの何れかの用紙タイプの記録紙に対して、実行可能な印刷手段と、を含む、印刷システムにて、互いに複数のユーザを含んだ第１のグループと第２のグループを含む、複数のグループの、各グループ毎に、前記印刷手段により使用させるべき記録紙の用紙タイプに関わる設定情報を、記憶手段に、予め登録可能にし、前記第１のグループの設定情報として前記第1の用紙タイプの記録紙を使用させる為の設定情報が前記記憶手段に予め登録されているうえで、該第１のグループを指定する印刷データが前記入力手段により入力された場合に、該印刷データのプリント処理を、該第1のグループに含まれるユーザの人数分、前記第１の用紙タイプの記録紙を用いて、前記印刷手段により実行可能にする一方で、前記第２のグループの設定情報として前記第２の用紙タイプの記録紙を使用させる為の設定情報が前記記憶手段に予め登録されているうえで、該第２のグループを指定する印刷データが前記入力手段により入力された場合に、該印刷データのプリント処理を、該第２のグループに含まれるユーザの人数分、前記第２の用紙タイプの記録紙を用いて、前記印刷手段により実行可能にし、更に、前記記憶手段に設定情報が予め登録されているグループの指定がなされていない印刷データが前記入力手段により入力された場合に、前記記憶手段に予め登録されている設定情報に依らないで、該印刷データのプリント処理を前記印刷手段により実行可能にするので、グループを指定するという簡単な操作で、記録紙の用紙タイプの設定など、グループ固有の設定に応じた所望の出力結果を、グループのメンバーの部数分、取得でき、オペレータによる複雑な各種設定作業の作業効率を格段に向上することが可能となる。
【００７６】
又、請求項３及び１１の本発明によれば、印刷データを入力する入力手段と、該印刷データのプリント処理を記録紙に対して実行可能な印刷手段と、該印刷手段によりプリントされた記録紙を複数の排紙部のうちの何れかの排紙部に対して排出可能にする排出手段と、を含む、印刷システムにて、互いに複数のユーザを含んだ第１のグループと第２のグループを含む、複数のグループの、各グループ毎に、前記排出手段による記録紙の排出先とすべき排紙部に関わる設定情報を、記憶手段に、予め登録可能にし、前記第１のグループの設定情報として排紙部に関わる設定情報が前記記憶手段に予め登録されているうえで、該第１のグループを指定する印刷データが前記入力手段により入力された場合に、該印刷データのプリント処理を、該第1のグループに含まれるユーザの人数分、前記印刷手段により実行させると共に、そのプリントされた記録紙を、該第1のグループの為に予め登録された排紙部に対して排出可能にする一方で、前記第２のグループの設定情報として排紙部に関わる設定情報が前記記憶手段に予め登録されているうえで、該第２のグループを指定する印刷データが前記入力手段により入力された場合に、該印刷データのプリント処理を、該第２のグループに含まれるユーザの人数分、前記印刷手段により実行させると共に、そのプリントされた記録紙を、該第２のグループの為に予め登録された排紙部に対して排出可能にし、更に、前記記憶手段に設定情報が予め登録されているグループの指定がなされていない印刷データが前記入力手段により入力された場合に、前記記憶手段に予め登録されている設定情報に依らないで、該印刷データのプリント処理を前記印刷手段により実行可能にするので、グループを指定するという簡単な操作で、排紙部の設定など、グループ固有の設定に応じた所望の出力結果を、グループのメンバーの部数分、取得でき、オペレータによる複雑な各種設定作業の作業効率を格段に向上することが可能となる。
【００８１】
従って、予め登録しておいたグループをジョブに対して指定するという簡単な操作で、グループ固有の属性に応じた出力装置の高度な機能を組み合わせた所望の出力結果をグループに指定された排紙先から取得でき、オペレータによるグループに合わせた複雑な各種設定作業の作業効率を格段に向上させることができるという効果を奏する。
【図面の簡単な説明】
【図１】本発明の一実施形態を示す出力装置を適用可能なレーザビームプリンタの構成を示す断面図である。
【図２】本発明に係るプリンタ制御システムの構成を説明するブロック図である。
【図３】図２に示した操作パネルまたはホストコンピュータにより設定されるグループ属性テーブルを説明する図である。
【図４】本発明に係る出力装置の出力処理手順の一例を示すフローチャートである。
【図５】図４に示した属性設定処理の一例を詳細に説明するフローチャートである。
【図６】図４に示したデータ処理の一例を詳細に説明するフローチャートである。
【符号の説明】
１２  ＣＰＵ
１３  ＲＯＭ
１４  外部メモリ
１５  システムバス
１６  印刷部Ｉ／Ｆ
１７  印刷部
１８  入力部
１９  ＲＡＭ
２０  ＭＣ
２１  インタフェース
１０００  ＬＢＰ
１００１  プリンタ制御ユニット
１０１２  操作パネル
３０００  ホストコンピュータ
【図１】
0003667063.tif 000002
【図３】
0003667063.tif 000003
【図２】
0003667063.tif 000004
【図４】
0003667063.tif 000005
【図６】
0003667063.tif 000006
【図５】
0003667063.tif 000007